(57)【特許請求の範囲】
【請求項１】
救出扉を機械的に閉状態に維持する機械的ロック装置と、前記救出扉の開閉状態を検出する電気的検出スイッチとを備えるエレベーター装置において、
前記エレベーター装置は、
前記機械的ロック装置及び前記電気的検出スイッチを動作させるロック機構部を備え、
前記ロック機構部は、
前記電気的検出スイッチにより検出される前記救出扉の開状態に応じて、前記機械的ロック装置により前記救出扉の閉状態を解除し、
前記ロック機構部は、回転可能なロックレバーを備え、前記ロックレバーには、スイッチキーとロック部とが形成され、
前記ロック部によって前記救出扉の開状態を機械的に阻止する開阻止部と、
前記スイッチキーによって先端部を短絡されたとき前記電気的検出スイッチを構成する強制乖離スイッチとを備え、
前記ロックレバーの回転に応じて、前記スイッチキーと前記強制乖離スイッチとの前記先端部の電気的な短絡が解除され、前記ロック部と前記開阻止部との係合状態が解除され、
前記ロックレバーの他方向の回転に応じて、前記スイッチキーは、前記強制乖離スイッチの前記先端部を電気的に短絡し、前記ロック部は、前記開阻止部と係合し、
前記強制乖離スイッチ及び前記スイッチキーは、前記救出扉が閉状態の場合、結合し、前記救出扉が開状態の場合、離反し、
前記ロックレバーを一方向に回転したときに前記ロックレバーの最終位置を規制する第１のストッパと、前記ロックレバーを他方向に回転したときに前記ロックレバーの最終位置を規制する第２のストッパとを備え、
前記ロックレバーを一方向に回転したとき前記ロックレバーに一方向の力を与え、かつ、前記ロックレバーを他方向に回転したとき前記ロックレバーに他方向の力を与えるトグルばねを備え、
前記ロックレバーの回転軸から異なる方向に三方向端部が形成され、前記三方向端部のうちの第一方向端部に前記スイッチキーが支持固定され、第二方向端部に前記ロック部が形成され、第三方向端部に前記トグルばねの一端が連結された
ことを特徴とするエレベーター装置。
【発明の詳細な説明】
【技術分野】
【０００１】
本発明は、エレベーター装置に関し、特に救出口装置を備えるエレベーター装置に適用して好適なものである。
【背景技術】
【０００２】
特許文献１には、施錠装置と、施錠用ロックレバーと、この施錠用ロックレバーの作動を検出するリミットスイッチと、施錠用ロックレバーの施錠動作を阻止する阻止具とを備えたエレベーターの救出口装置が開示されている。【０００３】
また特許文献２には、乗かごの天蓋板及びこの天蓋板に設けられた救出口蓋を備えたエレベーターの救出口装置が開示されており、救出口蓋が救出口を閉鎖した場合、エレベーターの昇降が許可され、救出口蓋が救出口を開放した場合、エレベーターの昇降が禁止されるように動作する。
【先行技術文献】
【特許文献】
【０００４】
【特許文献１】特開平６−１１５８４２号公報
【特許文献２】特開平９−２７８３０３号公報
【発明の概要】
【発明が解決しようとする課題】
【０００５】
ところで特許文献１及び２に記載の救出口装置は、救出扉の機械的ロック装置と、救出扉の状態を検出する電気的検出スイッチとが別々に構成されている。そして機械的ロック装置により救出扉のロックが解除されると、これに連動して電気的検出スイッチにより救出扉の開放状態が検出されるように構成されている。【０００６】
よって作業員は、救出口装置の取り付けに際して、機械的ロック装置と電気的検出スイッチとを別々に取り付け、またこれら２つの部材が連動して動作するように調整することになるため、非常に煩雑な作業が必要とされる。【０００７】
また電気的検出スイッチが固渋するなどして救出扉の状態を適切に検出することができなくなる場合、救出口の扉が開放された状態であるにもかかわらず、エレベーターが昇降することになるため問題となる。【０００８】
本発明は以上の点を考慮してなされたものであり、作業性及び安全性を向上し得るエレベーターの救出口装置を提案しようとするものである。
【課題を解決するための手段】
【０００９】
かかる課題を解決するために、本発明においては、救出扉を機械的に閉状態に維持する機械的ロック装置と、救出扉の開閉状態を検出する電気的検出スイッチとを備えるエレベーターの救出口装置において、救出口装置は、機械的ロック装置及び電気的検出スイッチを動作させるロック機構部を備え、ロック機構部は、電気的検出スイッチにより検出される救出扉の開状態に応じて、機械的ロック装置により救出扉の閉状態を解除することを特徴とする。
【発明の効果】
【００１０】
本発明によれば、作業性及び安全性を向上することができる。
【図面の簡単な説明】
【００１１】
【図１】本実施の形態によるエレベーターの上面図である。
【図２】本実施の形態による救出口装置の上面図である。
【図３】本実施の形態による閉状態時におけるロック機構部の平面図である。
【図４】本実施の形態による開状態時におけるロック機構部の平面図である。
【発明を実施するための形態】
【００１２】
（１）本実施の形態によるエレベーター装置の構成
図１は、全体としてのエレベーター１の上面図を示す。エレベーター１は、非常停止した場合にエレベーター１に隣接する他のエレベーター１のかご室に乗客を移動させて救出するための救出口装置２０を備えて構成される。例えばエレベーター１が２０階と２１階との間の通常停止しない不停止階で非常停止した場合、この救出口装置２０を開放することで、隣接する他のエレベーター１のかご室に乗客を移動させることができる。
【００１３】
図２は、救出口装置２０の上面図を示す。救出口装置２０は、かご室固定部２、ヒンジ２１、救出扉３及びロック機構部１００を備えて構成される救出口装置２０は、複数枚の側板によって構成されるかご室の側面に救出扉３を備える。作業員が、昇降路側からかご室固定部２に接している救出扉３の自由端側をかご室内へ押すと、矢印で示したようにヒンジ２１を中心にして救出扉３が開放され、救出口４が形成される。ロック機構部１００は、救出口装置２０の作業性及び安全性を向上するための部材である。
【００１４】
図３は、救出扉３が閉状態時におけるロック機構部１００を昇降路側から見た平面図である。ロック機構部１００は、かご室固定部２に設置されるブラケット５Ａ、５Ｂ、開阻止部５Ｃ、強制乖離スイッチ６、信号線７、信号線及びスイッチキー８、救出扉３に設置されるブラケット５Ａ、５Ｂ、回転軸９、ロックレバー１０、つまみ１０Ａ、キーブラケット１１、ブラケット１２、トグルばね１３、第１のストッパ１４Ａ、第２のストッパ１４Ｂ及びロック部１５から構成される。
【００１５】
救出扉３の反ヒンジ側に位置したかご室固定部２には、ブラケット５Ａ及び５Ｂが固定され、ブラケット５Ｂには先端を斜め上方に向けて配置した強制乖離スイッチ６が固定されている。強制乖離スイッチ６は、信号線７に接続された先端端子を先端部に有しており、先端端子は、スイッチキー８が挿入されたときに短絡される。そして先端端子は、スイッチキー８によって短絡されると、信号線７を介して短絡信号を制御回路用信号として図示しない制御装置側へと伝達する。またブラケット５Ａには、救出扉３側に多少突出した開阻止部５Ｃが形成されている。
【００１６】
一方、救出扉３の反ヒンジ側には、上述した開阻止部５Ｃ及び強制乖離スイッチ６と対向して対を成す構成が設けられている。具体的に救出扉３には強制乖離スイッチ６と対を成して構成されるスイッチキー８と、開阻止部５Ｃと対を成して構成されるロック部１５とが固定されたロックレバー１０が取り付けられている。
【００１７】
このロックレバー１０は、回転軸９を支点にして回転軸９の回転する動きに合わせて回動する三方向端部を有して構成しており、第一方向端部には上述したスイッチキー８を支持したキーブラケット１１が固定されている。またロックレバー１０の第二方向端部には、上述した開阻止部５Ｃを釈放可能に係止するロック部１５が形成され、第三方向端部には、後述するトグルばね１３の一端が連結されている。ロックレバー１０には、救出扉３の開錠の際に使用されるつまみ１０Ａがロックレバー１０に対して起立するように形成されている。なおこのつまみ１０Ａの形状や位置は種々の構成を採ることができる。
【００１８】
ブラケット１２における回転軸９の両側に位置する部分には、ロックレバー１０の回転位置を調整可能に規制する一対の第１のストッパ１４Ａ及び第２のストッパ１４Ｂが取り付けられている。第１のストッパ１４Ａは、ロックレバー１０が回転軸９を中心にして反時計方向に回転する最終位置を規制しており、第２のストッパ１４Ｂは、ロックレバー１０が回転軸９を中心にして時計方向に回転する最終位置を規制している。具体的に第１のストッパ１４Ａ及び第２のストッパ１４Ｂは、ボルトによって構成され、その軸方向の突出長を調整することによってロックレバー１０の回転を規制する位置を調整可能にする。
【００１９】
救出扉３には、トグルばね１３の一端が支持固定され、トグルばね１３の他端は、上述したようにロックレバー１０の第三方向端部に連結されている。これによりトグルばね１３は、図３に示すように、ロックレバー１０を反時計方向に回転した状態では、ロックレバー１０に反時計方向の回転力を与えながら第１のストッパ１４Ａに接触した状態を保持する方向の力を与えている。また、同時にトグルばね１３は、ロックレバー１０を時計方向に回転した状態では、時計方向の回転力を与えながら第２のストッパ１４Ｂに接触した状態を保持する方向の力を与えている。
【００２０】
そしてロックレバー１０が反時計方向又は時計方向の最終位置まで回転され、それぞれその最終位置を第１のストッパ１４Ａ及び第２のストッパ１４Ｂによって規制されたとき、トグルばね１３には、ロックレバー１０の回転を固定した状態を保持するようにデッドセンタが設けられている。
【００２１】
（２）ロック機構部の動作概要
図３に示すように、救出扉３には、回転軸９を中心に反時計方向又は時計方向に回転可能となるロックレバー１０によって、スイッチキー８が強制乖離スイッチ６の先端部を短絡又は切り離すことで電気的検出スイッチが構成されている。また、ロックレバー１０の反時計方向又は時計方向の回転によって、開阻止部５Ｃに対してロック部１５を施錠又は解錠する機械的ロック装置が救出扉３において構成されている。
【００２２】
図３に示されるような救出扉３が閉じられた状態（以下、これを定常状態と呼ぶ。）において、トグルばね１３は、ロックレバー１０に反時計方向の回転力を与えており、これによりトグルばね１３は、強制乖離スイッチ６の先端部にスイッチキー８が差し込まれた状態を保持する。またトグルばね１３は、ロックレバー１０を第１のストッパ１４Ａに接触させることでロックレバー１０の最終位置を規制している。
【００２３】
一方、強制乖離スイッチ６の先端部の開放状態の先端端子は、トグルばね１３によってスイッチキー８と強制乖離スイッチ６との接続が支持固定すると、スイッチキー８によって短絡される。そして救出扉３における電気的検出スイッチは、閉状態（接続状態）になる。そして、強制乖離スイッチ６は、信号線７を介して救出扉３の閉状態を示す制御回路用信号を図示しない制御装置側へと伝達する。この制御回路用信号を受けて、制御装置は、エレベーター１の運転が可能な状態か否かを判定する。
【００２４】
ロックレバー１０にはロック部１５が突出して形成されており、このロック部１５に対向する位置のかご室固定部２側には、開阻止部５Ｃが固定されている。そして定常状態では、ロック部１５の動きは開阻止部５Ｃによって機械的に施錠されて阻止され、機械的ロック装置はロック状態となる。このため、作業員が救出扉３を開こうとしても、機械的ロック装置におけるロック部１５が開阻止部５Ｃに当たるように施錠されているため、救出扉３を開くことはできない。
【００２５】
なお従来の救出口装置２０におけるロック機構部１００は、電気的検出スイッチにリミットスイッチやマイクロスイッチを使用しており、これらのスイッチは、接点スイッチを押下又は切り離すことで電気的検出スイッチの開（接続の解除）及び閉（接続）を行っている。そして従来では、作業員が電気的検出スイッチに対して接続解除を行った場合でも、接点スイッチが物理的に切り離されず押されたままの固渋状態となり、救出扉３が開いている状態でエレベーター１が運転してしまうといった問題がある。
【００２６】
しかしながら、本実施の形態における電気的検出スイッチは、かご室固定部２と救出扉３との境界部で強制乖離スイッチ６及びスイッチキー８が跨ぐように形成されており、定常状態では強制乖離スイッチ６にスイッチキー８の先端部が挿入し、結合するように構成されている。そして強制乖離スイッチ６とスイッチキー８とが接続されることでキーブラケット１１より救出扉３の閉状態を示す制御回路用信号が伝達され、エレベーター１の運転が開始する。
【００２７】
また救出扉３が開けられた状態では、強制乖離スイッチ６とスイッチキー８とが切り離されるように構成される。これにより電気的検出スイッチの電気的な接続は切断され、キーブラケット１１より救出扉３の開状態を示す制御回路用信号が伝達されるので、救出扉３が開いている状態でエレベーター１が運転されることはない。
【００２８】
図４は、救出扉３が開状態時におけるロック機構部１００を昇降路側から見た平面図である。昇降路側から救出扉３を開いてかご室内の乗客を救出する場合、まず作業員は、救出扉３のつまみ１０Ａを掴んでロックレバー１０を時計方向に回転させて解錠を行い、続いて図２の矢印に示すように救出扉３の自由端側をかご室内へ押すことで救出扉３の開閉を行う。
【００２９】
作業員によりロックレバー１０が時計方向に回転されることで第一方向端部に取り付けられたスイッチキー８は強制乖離スイッチ６から分離される。これにより、電気的検出スイッチは、信号線７を介して救出扉３の開状態を示す制御回路用信号を制御装置側へと伝達する。この制御回路用信号を受けて、制御装置ではエレベーター１の運転ができない状態と判定される。
【００３０】
またスイッチキー８が強制乖離スイッチ６から分離されると同時に、第二方向端部に形成されたロック部１５は開阻止部５Ｃから離れて機械的ロック装置は釈放状態となる。第三方向端部に連結されたトグルばね１３は、トグルばね１３の両端と回転軸９とを結ぶ直線が一直線になるデッドセンタを越え、ロックレバー１０を時計方向に回転する力として作用するようになる。そして、最終的には、ロックレバー１０の第三方向端部が第２のストッパ１４Ｂに当たり、ロックレバー１０における時計方向への回転の最終位置が規制される。
【００３１】
図４に示すように、救出扉３が開けられた状態では、ロックレバー１０に固定されたキーブラケット１１及びスイッチキー８は、図３に示したかご室固定部２と救出扉３の境界を跨がるように配置された状態から、救出扉３側へと移動する。また、ロック部１５は、回転して開阻止部５Ｃを通過し、同様に救出扉３側へと移動する。これにより、機械的ロック装置が解除され、作業員によりかご室固定部２に接している救出扉３の自由端側がかご室内へ押されると、救出扉３は図２に示したヒンジ２１を中心にして開く。
【００３２】
なお救出扉３が作業員によって開けられている状態においては、図４に示すように、強制乖離スイッチ６の先端部はスイッチキー８から分離しているため、スイッチキー８から図示しない制御装置側に救出扉３の閉状態を示す制御回路用信号が与えられることは無くエレベーター１は運転再開することは無い。また、ロックレバー１０は、回転軸９によって支持されており、救出扉３が開かれた状態では、図４に示すようにトグルばね１３によって回転軸９を中心にしてロックレバー１０を時計方向の開錠方向に付勢されているため、誤って救出扉３を閉じて施錠することはない。
【００３３】
一方、図３に示されるように再び救出扉３が閉じられた状態になると、強制乖離スイッチ６の先端部がスイッチキー８によって短絡されて電気的検出スイッチが閉状態となり、信号線７を介して図示しない制御装置側に救出扉３の閉状態を示す制御回路用信号が与えられエレベーター１の運転が再開できる状態となる。
【００３４】
具体的には、救出扉３が閉じられ回転軸９を中心にしてロックレバー１０が反時計方向に回転すると、ロックレバー１０の第一方向端部に固定されたスイッチキー８は、強制乖離スイッチ６の先端部を短絡して電気回路を構成する。また同時に、ロックレバー１０の第二方向端部に形成されたロック部１５は、開阻止部５Ｃに係合して機械的ロック装置が施錠状態となるため、作業員は、救出扉３を開けることができなくなる。さらに、トグルばね１３は、ロックレバー１０に対して回転軸９を中心にして反時計方向の施錠方向に付勢力を与えているため、スイッチキー８及び強制乖離スイッチ６、並びに、ロック部１５及び開阻止部５Ｃが分離されることはない。
【００３５】
従って、救出口装置２０は、回転軸９を中心にして回転可能なロックレバー１０を用いることにより、ロックレバー１０の時計方向への回転（一方向回転）によってスイッチキー８と強制乖離スイッチ６間の電気回路を完成させ、また同時にロック部１５と開阻止部５Ｃによる機械的ロック装置を完成させることができる。
【００３６】
また救出口装置２０は、ロックレバー１０の反時計方向への回転（他方向回転）によりスイッチキー８と強制乖離スイッチ６とを切り離すことでロック部１５と開阻止部５Ｃによる機械的ロック装置を解くことを可能にする。このため本願発明によるロックレバー１０は、電気回路の分離を行わなければ機械的ロック装置を解くことができず、作業員により救出扉３が開けられている間、エレベーター１は確実に停止することとなる。
【００３７】
また本願発明は、機械的なロックをするための機構と、電気回路を分離及び短絡するための機構とが一つのロックレバー１０上に構成されているためロック機構部１００の構造は簡単になる。さらに本願発明は、ロックレバー１０の回転動作のみにより機械的なロックだけでなく、同時に電気回路の分離及び短絡も行うので調整作業も簡単になる。
【００３８】
（３）本実施の形態の効果
以上のように本実施の形態のエレベーター１では、ロックレバー１０の回転動作のみにより機械的なロックだけでなく、同時に電気回路の分離及び短絡も行うため、及び電気回路の分離を行わなければ機械的ロック装置を解くことができないため、作業性及び安全性を向上し得る。
【００３９】
（４）他の実施の形態
なお本実施の形態においては、強制乖離スイッチ６をかご室固定部２側に固定し、ロックレバー１０を救出扉側に取り付ける場合について述べたが、本発明はこれに限らず、強制乖離スイッチ６を救出扉３側に固定し、ロックレバー１０をかご室固定部２側に取り付け、回転軸９を中心にしたロックレバー１０の他方向の回転によってスイッチキー８で強制乖離スイッチ６を短絡し、ロックレバー１０の一方向の回転によってスイッチキー８を強制乖離スイッチ６から分離するようにしても良い。このようにかご室固定部２側と救出扉３側に構成した部品を入れ替えるようにしてもよい。
【００４０】
また本実施の形態においては、かご室の側部に救出扉３を設ける場合について述べたが、本発明はこれに限らず、かご室の天井部に救出扉３を設けてもよい。
【００４１】
さらに本実施の形態においては、上述した全ての構成を備える場合について述べたが、本発明はこれに限らず、全ての構成を備えなくてもよく、様々な変形例が含まれる。
【符号の説明】
【００４２】
１……エレベーター、２……かご室固定部、３……救出扉、４……救出口、５Ａ、５Ｂ……ブラケット、５Ｃ……開阻止部、６……強制乖離スイッチ、８……スイッチキー、９……回転軸、１０……ロックレバー、１０Ａ……つまみ、１１……キーブラケット、１２……ブラケット、１３……トグルばね、１４Ａ……第１のストッパ、１４Ｂ……第２のストッパ、１５……ロック部、２０……救出口装置、２１……ヒンジ、１００……ロック機構部。
【図１】
0006621927.tif 000002
【図２】
0006621927.tif 000003
【図３】
0006621927.tif 000004
【図４】
0006621927.tif 000005